(57)【要約】【課題】取り外し冶具を用いることなくレフィル容器の交換が可能な二重容器を提案する。【解決手段】本発明に係る二重容器１００は、筒状の周壁２１と底壁２２を有し内容物を収容するレフィル容器２０と、レフィル容器２０の上部を覆う蓋体３０と、レフィル容器２０を着脱交換可能に収容する本体容器１０とを備える二重容器１００であって、レフィル容器２０は、底壁２２の下方において中心軸線Ｏ１に直交する方向に突出する係合突部２３ａを有し、本体容器１０の底部１２には、係合突部２３ａが係合する係合部１２ｄが設けられ、蓋体３０の天壁３５には、平面視で係合突部２３ａの位置に対応して設けられた押圧部３７が配設されており、押圧部３７又は係合突部２３ａの少なくともいずれか一方には、係合突部２３ａの突出方向に向けて上方に傾斜する傾斜面３７ａが設けられていることを特徴とする。【選択図】図２
2018172168.tif 000002
【特許請求の範囲】
【請求項１】
筒状の周壁と該周壁の下端を閉塞する底壁を有し内容物を収容するレフィル容器と、
該レフィル容器の上部開口を覆う蓋体と、
前記周壁を径方向外側から覆う外周壁を有し前記レフィル容器を着脱交換可能に収容する本体容器と
を備える二重容器であって、
前記レフィル容器は、前記底壁の下方において中心軸線に直交する方向に突出する係合突部を有し、
前記本体容器の底部には、該係合突部が係合する係合部が設けられ、
前記蓋体の天壁、又は前記本体容器における前記係合部の下方位置の少なくともいずれか一方には、平面視で前記係合突部の位置に対応して設けられた押圧部が配設されており、
該押圧部又は前記係合突部の少なくともいずれか一方には、前記係合突部の突出方向に向けて上方に傾斜する傾斜面が設けられていることを特徴とする二重容器。
【請求項２】
前記係合突部は、前記底壁から下方に延びる係合壁に設けられており、
前記係合部は、前記本体容器の底部に設けられた係合孔である、請求項１に記載の二重容器。
【請求項３】
前記係合突部は径方向外側に向かって突出し、前記傾斜面は、径方向外側に向かって上方に傾斜する、請求項１又は２に記載の二重容器。
【請求項４】
前記押圧部は、前記本体容器の底部に固定される押圧部材に設けられている、請求項１乃至３のいずれか一項に記載の二重容器。
【請求項５】
前記係合突部は、周方向の複数箇所に間欠的に設けられている、請求項１乃至４のいずれか一項に記載の二重容器。
【発明の詳細な説明】
【技術分野】
【０００１】
本発明は、内容物を収容したレフィル容器と、レフィル容器を着脱交換可能に収容する本体容器とを有する二重容器に関するものである。
【背景技術】
【０００２】
省資源化の観点から、内容物が充填されるレフィル容器を本体容器に着脱可能に収容することで、本体容器を繰り返し用いることが可能な詰替容器が提案されている。例えば、特許文献１には、合成樹脂層と酸素バリア層とを積層した積層フィルムを絞り成形して底部と側壁部とフランジ部とを一体的に形成してガスバリア性を高めた詰替容器用レフィル容器が開示されている。
【先行技術文献】
【特許文献】
【０００３】
【特許文献１】特開２０１３−１６６５６３号公報
【発明の概要】
【発明が解決しようとする課題】
【０００４】
このような内容物を補充するレフィル容器は、使用時に本体容器から容易に外れないように、利用者が手を触れ難い箇所において本体容器に対してアンダーカット係合等により固定されていることが好ましい。しかし、利用者が手を触れ難い箇所においてレフィル容器を本体容器に対して固定すると、内容物を使い切ってレフィル容器の交換を行う際に、取り外し冶具を用いてレフィル容器を本体容器から取り外す必要がある。このため、利用者にとって、レフィル容器の交換が煩わしくなるという問題があった。
【０００５】
本発明は、このような問題点を解決することを課題とするものであり、その目的は、取り外し冶具を用いることなくレフィル容器の交換が可能な二重容器を提案することである。
【課題を解決するための手段】
【０００６】
本発明は、筒状の周壁と該周壁の下端を閉塞する底壁を有し内容物を収容するレフィル容器と、
該レフィル容器の上部開口を覆う蓋体と、
前記周壁を径方向外側から覆う外周壁を有し前記レフィル容器を着脱交換可能に収容する本体容器と
を備える二重容器であって、
前記レフィル容器は、前記底壁の下方において中心軸線に直交する方向に突出する係合突部を有し、
前記本体容器の底部には、該係合突部が係合する係合部が設けられ、
前記蓋体の天壁、又は前記本体容器における前記係合部の下方位置の少なくともいずれか一方には、平面視で前記係合突部の位置に対応して設けられた押圧部が配設されており、
該押圧部又は前記係合突部の少なくともいずれか一方には、前記係合突部の突出方向に向けて上方に傾斜する傾斜面が設けられていることを特徴とする二重容器である。
【０００７】
また、前記係合突部は、前記底壁から下方に延びる係合壁に設けられており、
前記係合部は、前記本体容器の底部に設けられた係合孔であることが好ましい。
【０００８】
また、前記係合突部は径方向外側に向かって突出し、前記傾斜面は、径方向外側に向かって上方に傾斜することが好ましい。
【０００９】
また、前記押圧部は、前記本体容器の底部に固定される押圧部材に設けられていることが好ましい。
【００１０】
また、前記係合突部は、周方向の複数箇所に間欠的に設けられていることが好ましい。
【発明の効果】
【００１１】
本発明によれば、取り外し冶具を用いることなくレフィル容器の交換が可能な二重容器を提案することができる。
【図面の簡単な説明】
【００１２】
【図１】本発明の第１実施形態に係る二重容器を構成するレフィル容器及び蓋体の正面一部断面図である。
【図２】（ａ）は、図１のレフィル容器を本体容器に収容した、本発明の第１実施形態に係る二重容器を示す正面一部断面図であり、（ｂ）は、（ａ）に示す二重容器の底面図である。
【図３】本発明の第１実施形態に係る二重容器において、本体容器からレフィル容器を取り外す時の状態を示す正面一部断面図である。
【図４】図１の変形例であるレフィル容器及び蓋体の正面一部断面図である。
【図５】図４に示すレフィル容器を本体容器に収容した状態を示す、正面一部断面図である。
【図６】本発明の第２実施形態に係る二重容器を構成するレフィル容器及び蓋体の正面一部断面図である。
【図７】（ａ）は、図６のレフィル容器を本体容器に収容した、本発明の第２実施形態に係る二重容器を示す正面一部断面図であり、（ｂ）は、（ａ）に示す二重容器の底面図である。
【図８】本発明の第２実施形態に係る二重容器において、本体容器からレフィル容器を取り外す時の状態を示す正面一部断面図である。
【図９】本発明の第３実施形態に係る二重容器を構成するレフィル容器、及び蓋体の正面断面図である。
【図１０】図９のレフィル容器を、本体容器に収容した状態を示す正面断面図である。
【図１１】本発明の第３実施形態に係る二重容器の使用時の状態を示す正面半断面図である。
【図１２】本発明の第３実施形態に係る二重容器からレフィル容器を取り外す過程を示す正面断面図である。
【図１３】本発明の第４実施形態に係る二重容器を構成するレフィル容器、及び蓋体の正面一部断面図である。
【図１４】図１３のレフィル容器を、本体容器に収容した状態を示す正面断面図である。
【図１５】本発明の第４実施形態に係る二重容器の使用時の状態を示す正面半断面図である。
【図１６】本発明の第４実施形態に係る二重容器からレフィル容器を取り外す過程を示す正面断面図である。
【発明を実施するための形態】
【００１３】
以下、図面を参照して、本発明をより具体的に説明する。
【００１４】
図１は、本発明の第１実施形態に係る二重容器１００を構成するレフィル容器２０、及び蓋体３０の正面断面図である。なお、本実施形態に係る二重容器１００は、レフィル容器２０及び蓋体３０の他に、本体容器１０を有しているが、これについては図２等を用いて後ほど詳述する。また、図１は、レフィル容器２０の上部開口２１ａに、二重容器１００に必須の構成ではないポンプ４０が取り付けられる例を示している。なお、本明細書、特許請求の範囲、要約書および図面では、蓋体３０が位置する側を上方（図１における上側）とし、レフィル容器２０の底壁２２が位置する側を下方（図１における下側）とする。また、径方向外側とは、図１におけるレフィル容器２０の中心軸線Ｏ１を通り中心軸線Ｏ１に垂直な直線に沿って外側に向かう方向であり、径方向内側とは、当該直線に沿って中心軸線Ｏ１に向かう方向を指すものとする。
【００１５】
レフィル容器２０は、筒状の周壁２１と、周壁２１の下端を閉塞する底壁２２を有し、収容空間Ｓ１内に内容物を収容する。周壁２１の外周面上部には、雄ねじ部２７が設けられている。周壁２１の上端は、上部開口２１ａを構成し、上方から蓋体３０で覆われることにより閉塞される。なお、本実施形態では、レフィル容器２０の上部開口２１ａには、二重容器１００に必須の構成ではないポンプ４０が取り付けられ、上部開口２１ａは、ポンプ４０を介して蓋体３０により覆われている。より詳細には、レフィル容器２０の外周面上部に設けられた雄ねじ部２７に、ポンプ４０のベースキャップ４２の内周面に設けられた雌ねじ部４２ａがねじ係合することにより、ポンプ４０がレフィル容器２０に固定され、上部開口２１ａを覆っている。また、ベースキャップ４２の外周面に設けられた嵌合部４２ｂに蓋体３０の下端部が嵌合することにより、蓋体３０がポンプ４０に装着され、ノズルヘッド４４を覆っている。
【００１６】
底壁２２から下方に向かって係合壁２３が垂下している。係合壁２３の下端部における外周面には、係合突部２３ａが径方向外側に向けて突出している。また、係合壁２３の下端部には、径方向外側に向かって上方に傾斜する傾斜面２３ｂが設けられている。本実施形態において、係合壁２３は、図２（ｂ）に示すように、周方向４箇所に等間隔で間欠的に配設されている。従って、各係合壁２３は径方向に独立に弾性変形可能である。
【００１７】
ポンプ４０は、収容空間Ｓ１内の内容物をポンプ本体４３に導くパイプ４１と、パイプ４１の上端に連なりパイプ４１からの内容物をノズルヘッド４４へと圧送するポンプ本体４３と、ポンプ本体４３から径方向外側に延びるフランジ４３ａを周壁２１との間に挟持することでポンプ本体４３をレフィル容器２０に固定するベースキャップ４２と、ポンプ本体４３の上端を覆うと共に吐出孔４４ａを備え、下方に押下することでポンプ本体４３を作動させて内容物を吐出孔４４ａから吐出させるノズルヘッド４４と、を備える。
【００１８】
ベースキャップ４２の外周面に設けられた嵌合部４２ｂには、図１に示すように蓋体３０の下端部が嵌合し固定されている。蓋体３０は、天壁３５と、天壁３５の外周端から下方に垂下する側壁３１とを備え、上部開口２１ａ及びノズルヘッド４４を上方から覆っている。
【００１９】
図２（ａ）は、図１のレフィル容器２０を本体容器１０に収容した状態を示す正面一部断面図である。本体容器１０は、レフィル容器２０の周壁２１を径方向外側から覆う外周壁１１と、外周壁１１の下端に連なり径方向内側方向へ延びる底部１２とを有している。底部１２には、外周壁１１から周方向内側に延びる環状部１２ａと、環状部１２ａの内周端から上方へと延びる底部筒壁１２ｂと、底部筒壁１２ｂの上端から更に径方向内側に延びる底部内壁１２ｃが設けられている。そして、底部内壁１２ｃには、レフィル容器２０側の係合突部２３ａを係合させるための係合孔１２ｄが配設されている。係合孔１２ｄは、図２（ｂ）に示すように、係合突部２３ａと同様に周方向４箇所に等間隔で間欠的に設けられている。そして、図１に示すレフィル容器２０を上方から本体容器１０内に挿入すると、レフィル容器２０の外周面に設けられた突部２６の下面が外周壁１１の上端部１１ａに当接すると共に、係合突部２３ａが係合孔１２ｄを通過してその外周端に係合する。より詳細には、係合突部２３ａが係合孔１２ｄの外周端に当接することで係合壁２３の下端が一旦径方向内側に弾性変形した後、係合突部２３ａが係合孔１２ｄを通過すると、係合壁２３が元の形状に復元しつつ係合突部２３ａが係合孔１２ｄの外周端に係合する。これによって、レフィル容器２０は本体容器１０に対して上方に引き抜き不能な状態で固定される。
【００２０】
利用者は、図２（ａ）の状態から、蓋体３０を上方に持ち上げてベースキャップ４２の嵌合部４２ｂから引き抜き、吐出孔４４ａを対象物に向けて方向付けした状態でノズルヘッド４４を下方に押下する。これにより、ポンプ本体４３が作動し、パイプ４１経由で圧送された収容空間Ｓ１内の内容物が吐出孔４４ａから吐出される。利用者は、使用後に再び蓋体３０をベースキャップ４２に装着する。
【００２１】
図３は、本実施形態に係る二重容器１００からレフィル容器２０を取り外す工程を示す正面一部断面図である。利用者は、レフィル容器２０の収容空間Ｓ１内の内容物を使い切ると、空になったレフィル容器２０を本体容器１０から取り外す必要がある。利用者は、図２の二重容器１００においてベースキャップ４２を周方向に回転させ、雄ねじ部２７と雌ねじ部４２ａとのねじ係合を解除して、蓋体３０付きのポンプ４０を二重容器１００から取り外す。次に利用者は、図３に示すように、本体容器１０が装着された使用済みのレフィル容器２０に対して、取り外した蓋体３０の天壁３５の上面を下方から押し付ける。図３に示すように、蓋体３０の天壁３５には、上方に向けて突出する押圧部３７が設けられている。押圧部３７は、径方向外側に向かって上方に傾斜する傾斜面３７ａと、上下方向に延びる支持部３７ｂとが上端において連結された構成を有することによって半径方向の押圧力に対して弾性変形しづらく構成されている。そして、押圧部３７の傾斜面３７ａにより本体容器１０内に収容されたレフィル容器２０の係合壁２３を上方に向けて押圧することにより、係合壁２３は、上方及び径方向内側への押圧力をうけて図３に示すように径方向内側へと弾性変形する。これによって、係合突部２３ａと係合孔１２ｄとの係合が解除されるため、太線矢印で示すように、上方に向けてレフィル容器２０を本体容器１０から容易に取り出すことができる。
【００２２】
利用者は、内容物を使い切ったレフィル容器２０を本体容器１０から取り外した後、図２に示すように、これまで使用してきた本体容器１０内に内容物が充填された新たなレフィル容器２０を収容する。これによって、同一の本体容器１０を繰り返し使用しつつ、内容物を補充することができる。
【００２３】
なお、本実施形態では、図３に示すように、押圧部３７に傾斜面３７ａが設けられている他、係合壁２３についても下端部に係合突部２３ａが設けられることにより傾斜面２３ｂが形成されている。そして径方向外側に向かって上方に傾斜する傾斜面３７ａ，２３ｂ同士が当接することにより、係合壁２３は上方及び径方向内側への押圧力をうけて径方向内側へと弾性変形する。しかし、この態様には限定されず、例えば、傾斜面を有しない押圧部３７が係合壁２３の傾斜面２３ｂに当接することによって係合壁２３を径方向内側へと弾性変形させて係合突部２３ａと係合孔１２ｄとの係合を解除させるように構成してもよい。また、傾斜面３７ａが、傾斜面を有しない係合壁２３を上方及び径方向内側へと押圧して径方向内側に弾性変形させるようにしてもよい。
【００２４】
また、本実施形態では、ポンプ４０がねじ係合によりレフィル容器２０に固定されるように構成したが、この態様には限定されず、打栓係合等の他の方法によって固定されてもよい。
【００２５】
また、本実施形態では、蓋体３０がポンプ４０のベースキャップ４２に対して嵌合により固定されるように構成したが、この態様には限定されない。蓋体３０は、アンダーカット係合やねじ係合等によってポンプ４０に固定されるように構成してもよい。また、二重容器１００がポンプ４０を有していない場合等には、蓋体３０は、レフィル容器２０に直接固定されてもよい。
【００２６】
また、本実施形態では、係合壁２３及び係合孔１２ｄが、図２（ｂ）に示すように周方向に等間隔で４箇所に間欠的に設けられるように構成したが、この態様には限定されない。例えば、本体容器１０の所定の向きにレフィル容器２０が取り付けられるように、係合壁２３及び係合孔１２ｄを異なる間隔で設けてもよい。また、係合壁２３及び係合孔１２ｄは、それぞれ４箇所ずつ設ける必要はなく、任意の数だけ設けることができる。但し、係合壁２３については、径方向に弾性変形し易いように間欠的に複数箇所に設けることが望ましい。
【００２７】
また、本実施形態では、係合突部２３ａが係合する係合部の構成として係合孔１２ｄを採用したが、この態様には限定されない。係合突部２３ａが本実施形態のように径方向外側に突出する構成の場合、係合部は例えば径方向内側に突出する突起等であってもよい。
【００２８】
また、本実施形態では、係合突部２３ａが径方向外側に突出するように設けると共に、傾斜面３７ａ、２３ｂが径方向外側に向かって上方に傾斜するように構成したが、この態様には限定されない。係合突部２３ａが径方向内側に突出するように設けると共に、傾斜面３７ａ、２３ｂが径方向内側に向かって上方に傾斜するように構成してもよい。また、係合突部２３ａは中心軸線Ｏ１に直交する任意の方向に突出させることが可能であり、傾斜面３７ａ、２３ｂは、当該突出方向に向けて上方に傾斜するように構成されることが好ましい。
【００２９】
また、本実施形態では、係合壁２３及び係合孔１２ｄが、図２（ｂ）に示すように平面視で円弧形状を有するように構成したが、この態様には、限定されない。係合壁２３及び係合孔１２ｄは、例えば全体として矩形形状をなすように、個々の係合壁２３及び係合孔１２ｄが直線的に構成されていてもよい。
【００３０】
以上述べたように、本実施形態においては、レフィル容器２０の底壁２２に設けられた係合突部２３ａが本体容器１０の底部１２に配設した係合部（係合孔１２ｄ）に係合することにより、使用時にレフィル容器２０が本体容器１０から容易に外れないようにした。また、レフィル容器２０内の内容物を使い切った後は、図３に示すように、使用済みのレフィル容器２０を、係合突部２３ａの突出方向に向けて上方に傾斜する傾斜面３７ａ，２３ｂを介して上方に押圧することにより、当該突出方向とは反対方向の力を作用させて係合突部２３ａを変位させるようにした。これによって、係合突部２３ａと係合部との係合が容易に外れるため、新たな冶具等を用いることなく使用済みのレフィル容器２０を本体容器１０から容易に取り外すことができる。
【００３１】
また、本実施形態では、係合突部２３ａをレフィル容器２０の底壁２２から垂下する係合壁２３の下端に設けると共に、係合部として本体容器１０の底部１２に係合孔１２ｄを設けるようにした。これによって、傾斜面３７ａ，２３ｂにより押圧された係合壁２３が係合突部２３ａの突出方向とは反対方向に容易に弾性変形し、係合突部２３ａが変位して両者の係合を解除することができる。
【００３２】
また、本実施形態では、係合突部２３ａを径方向外側に向けて突出させ、蓋体３０の上面に設けた押圧部３７が径方向外側に向かって上方に傾斜する傾斜面３７ａを有するように構成した。これによって、新たな冶具等を導入することなく、蓋体３０の押圧部３７を用いて容易にレフィル容器２０と本体容器１０との係合を解除することができる。
【００３３】
また、本実施形態では、係合突部２３ａは、周方向の複数箇所（４箇所）に間欠的に設けられるように構成した。これによって、複数の係合突部２３ａがそれぞれ容易に径方向に変位して係合部との係合を解除することができる。
【００３４】
図４及び図５は、二重容器１００がポンプ４０を有していない、本実施形態の変形例を示している。図１と対比すると、図４のレフィル容器２０は、上部開口２１ａにポンプ４０が取り付けられておらず、代わりに蓋体５０の雌ねじ部５１ａがレフィル容器２０の雄ねじ部２７にねじ係合されることにより、蓋体５０がレフィル容器２０の上部開口２１ａを直接覆っている。なお、この変形例においても、蓋体５０の天壁５５上には、傾斜面５７ａを有する押圧部５７が配置されている。
【００３５】
利用者は、図４のレフィル容器２０を、図５に示すように本体容器１０内に装着する。レフィル容器２０の本体容器１０への装着は、第１実施形態と同様に行うことができる。すなわち、図４に示すレフィル容器２０を上方から本体容器１０内に挿入すると、レフィル容器２０の外周面に設けられた突部２６の下面が外周壁１１の上端部１１ａに当接すると共に、係合突部２３ａが係合孔１２ｄを通過してその外周端に係合する。より詳細には、係合突部２３ａが係合孔１２ｄの外周端に当接することで係合壁２３が一旦内周側に弾性変形した後、係合突部２３ａが係合孔１２ｄを通過すると、係合壁２３が元の形状に復元しつつ係合突部２３ａが係合孔１２ｄの外周端に係合する。これによって、図５に示すように、レフィル容器２０は本体容器１０に対して上方に引き抜き不能な状態で固定される。
【００３６】
利用者は、図５の状態から蓋体５０を周方向に回転させて取り外し、レフィル容器２０及び本体容器１０を傾動させることにより、収容空間Ｓ１内の内容物を注いで使用することができる。使用後は、蓋体５０を再びレフィル容器２０に装着する。また、利用者は、蓋体５０を取り外した後、図１及び図２に示すポンプ４０及び蓋体３０を取り付け、ポンプ本体４３を作動させることにより内容物を吐出孔４４ａから吐出させて使用してもよい。
【００３７】
利用者は、レフィル容器２０の収容空間Ｓ１内の内容物を使い切ると、空になったレフィル容器２０を本体容器１０から取り外す必要がある。ポンプ４０を使用していない場合、利用者は、蓋体５０を周方向に回転させ、雄ねじ部２７と雌ねじ部５１ａとのねじ係合を解除して蓋体５０を二重容器１００から取り外す。次に利用者は、本体容器１０が装着された使用済みのレフィル容器２０に対して、取り外した蓋体５０の上面を下方から押し付ける。蓋体５０の天壁５５には、上方に向けて突出する押圧部５７が設けられている。押圧部５７は、径方向外側に向かって上方に傾斜する傾斜面５７ａを有している。そして、押圧部５７の傾斜面５７ａによりレフィル容器２０の係合壁２３を上方に向けて押圧することにより、係合壁２３は、上方及び径方向内側への押圧力をうけて径方向内側へと弾性変形する。これによって、係合突部２３ａと係合孔１２ｄとの係合が解除されるため、利用者は、上方に向けてレフィル容器２０を本体容器１０から容易に取り出すことができる。
【００３８】
なお、蓋体５０の代わりにポンプ４０及び蓋体３０を使用する場合には、蓋体３０側の押圧部３７を使用して、レフィル容器２０を本体容器１０から容易に取り出すことができる。
【００３９】
図６は、本発明の第２実施形態に係る二重容器２００を構成するレフィル容器１２０、及び蓋体１３０の正面断面図である。なお、本実施形態に係る二重容器２００は、レフィル容器１２０及び蓋体１３０の他に、本体容器１１０を有するが、これについては図７等を用いて後ほど詳述する。また、図６は、レフィル容器１２０の上部開口１２１ａに、二重容器２００に必須の構成ではないポンプ１４０が取り付けられる例を示している。
【００４０】
本実施形態は、第１実施形態と比較して、蓋体１３０の形状、及び本体容器１１０の底部１１２の構成が異なる他は、第１実施形態と大きく異なるところが無い。従って、ここでは第１実施形態との差異点を中心に説明する。
【００４１】
レフィル容器１２０は、筒状の周壁１２１と、周壁１２１の下端を閉塞する底壁１２２を有し、収容空間Ｓ２内に内容物を収容する。周壁１２１の外周面上部には、雄ねじ部１２７が設けられている。周壁１２１の上端は、上部開口１２１ａを構成し、上方から蓋体１３０で覆われることにより閉塞される。なお、本実施形態では、レフィル容器１２０の上部開口１２１ａには、二重容器２００に必須の構成ではないポンプ１４０が取り付けられ、上部開口１２１ａは、ポンプ１４０を介して蓋体１３０により覆われている。より詳細には、レフィル容器１２０の外周面上部に設けられた雄ねじ部１２７に、ポンプ１４０のベースキャップ１４２の内周面に設けられた雌ねじ部１４２ａがねじ係合することにより、ポンプ１４０がレフィル容器１２０に固定され、上部開口１２１ａを覆っている。また、ベースキャップ１４２の嵌合部１４２ｂに蓋体１３０の下端部が嵌合することにより、蓋体１３０がポンプ１４０のノズルヘッド１４４を覆っている。
【００４２】
底壁１２２から下方に向かって係合壁１２３が垂下している。そして、係合壁１２３の下端部における外周面には、係合突部１２３ａが径方向外側に向けて突出している。また、係合壁１２３の下端部には、径方向外側に向かって上方に傾斜する傾斜面１２３ｂが設けられている。本実施形態において、係合壁１２３は、図７（ｂ）に示すように、周方向４箇所に等間隔で間欠的に配設されている。従って、各係合壁１２３は径方向に独立に弾性変形可能である。
【００４３】
ベースキャップ１４２の外周面に設けられた嵌合部１４２ｂには、図６に示すように蓋体１３０の下端部が嵌合し固定されている。蓋体１３０は、天壁１３５と、天壁１３５の外周端から下方に垂下する側壁１３１とを備え、上部開口１２１ａ及びノズルヘッド１４４を上方から覆っている。
【００４４】
図７（ａ）は、図６のレフィル容器１２０を本体容器１１０に収容した状態を示す正面一部断面図である。本体容器１１０は、レフィル容器１２０の周壁１２１を径方向外側から覆う外周壁１１１と、外周壁１１１の下端を閉塞する底部１１２とを有している。底部１１２には、外周壁１１１の下端から周方向内側に延びる底壁１１２ｃが設けられている。そして、底壁１１２ｃには、レフィル容器１２０側の係合突部１２３ａを係合させるための係合孔１１２ｄと、後述する押圧部材１５０を嵌合固定するための嵌合孔１１２ａとが配設されている。係合孔１１２ｄは、図７（ｂ）に示すように、係合突部１２３ａと同様に周方向４箇所に間欠的に等間隔で設けられている。また、本実施形態では嵌合孔１１２ａについても周方向４箇所に設けられ、押圧部材１５０の嵌合壁１５９の上端部に設けられた嵌合突部１５９ａが嵌合孔１１２ａの内周端に係合することで押圧部材１５０は本体容器１１０に固定されている。そして、図６に示すレフィル容器１２０を上方から本体容器１１０内に挿入すると、レフィル容器１２０の外周面に設けられた突部１２６の下面が外周壁１１１の上端部１１１ａに当接すると共に、係合突部１２３ａが係合孔１１２ｄを通過してその外周端に係合する。より詳細には、係合突部１２３ａが係合孔１１２ｄの外周端に当接することで係合壁１２３が一旦径方向内側に弾性変形した後、係合突部１２３ａが係合孔１１２ｄを通過すると、係合壁１２３が元の形状に復元しつつ係合突部１２３ａが係合孔１１２ｄの外周端に係合する。これによって、レフィル容器１２０は本体容器１１０に対して上方に引き抜き不能な状態で固定される。
【００４５】
利用者は、図７（ａ）の状態から、蓋体１３０を上方に持ち上げてベースキャップ１４２の嵌合部１４２ｂから引き抜き、吐出孔１４４ａを対象物に向けて方向付けした状態でノズルヘッド１４４を下方に押下する。これにより、ポンプ本体１４３が作動し、パイプ１４１経由で圧送された収容空間Ｓ２内の内容物が吐出孔１４４ａから吐出される。
【００４６】
図８は、本実施形態に係る二重容器２００からレフィル容器１２０を取り外す工程を示す正面一部断面図である。利用者は、レフィル容器１２０の収容空間Ｓ２内の内容物を使い切ると、空になったレフィル容器１２０を本体容器１１０から取り外す必要がある。利用者は、図７の二重容器２００においてベースキャップ１４２を周方向に回転させ、雄ねじ部１２７と雌ねじ部１４２ａとのねじ係合を解除して、蓋体１３０付きのポンプ１４０を二重容器２００から取り外す。次に利用者は、図８に黒塗り矢印で示すように、本体容器１１０が装着された使用済みのレフィル容器１２０に対して、本体容器１１０の底部１１２の下方に設けられた押圧部材１５０を下方から押し付ける。図８に示すように、押圧部材１５０には、上方に向けて突出する押圧部１５７が設けられている。押圧部１５７は、径方向外側に向かって上方に傾斜する傾斜面１５７ａと、上下方向に延びる支持部１５７ｂとが上端において連結された構成を有している。そして、利用者が押圧部材１５０を上方に向けて押圧すると、押圧部１５７の傾斜面１５７ａが本体容器１１０内に収容されたレフィル容器１２０の係合壁１２３を上方に向けて押圧するため、係合壁１２３は、上方及び径方向内側への押圧力をうけて径方向内側へと弾性変形する。これによって、係合突部１２３ａと係合孔１１２ｄとの係合が解除されるため、白抜き矢印で示すように、上方に向けてレフィル容器１２０を本体容器１１０から容易に取り出すことができる。
【００４７】
利用者は、内容物を使い切ったレフィル容器１２０を本体容器１１０から取り外した後、図７に示すように、これまで使用してきた本体容器１１０内に内容物が充填された新たなレフィル容器１２０を収容する。これによって、同一の本体容器１１０を繰り返し使用しつつ、内容物を補充することができる。
【００４８】
なお、本実施形態では、図８に示すように、押圧部１５７に傾斜面１５７ａが設けられている他、係合壁１２３についても下端部に係合突部１２３ａが設けられることにより傾斜面１２３ｂが形成されている。そして径方向外側に向かって上方に傾斜する傾斜面１５７ａ，１２３ｂ同士が当接することにより、係合壁１２３は上方及び径方向内側への押圧力をうけて径方向内側へと弾性変形する。しかし、この態様には限定されず、例えば、傾斜面を有しない押圧部１５７が係合壁１２３の傾斜面１２３ｂに当接することによって係合壁１２３を径方向内側へと弾性変形させて係合突部１２３ａと係合孔１１２ｄとの係合を解除させるように構成してもよい。また、傾斜面１５７ａが、傾斜面を有しない係合壁１２３を上方及び径方向内側へと押圧して径方向内側に弾性変形させるようにしてもよい。
【００４９】
また、本実施形態では、本体容器１１０の底部１１２に押圧部１５７を設けるように構成したが、底部１１２に加えて蓋体１３０側にも押圧部を設けてもよい。
【００５０】
また、本実施形態では、ポンプ１４０を作動させて内容物を吐出させるように構成したが、この態様には限定されない。第１実施形態の変形例（図４及び図５）と同様に、ポンプ１４０を用いることなく、蓋体を取り外してレフィル容器１２０及び本体容器１１０を傾動させることにより、収容空間Ｓ２内の内容物を注いで使用してもよい。
【００５１】
以上述べたように、本実施形態においては、本体容器１１０の底部１１２に押圧部材１５０を嵌合固定し、押圧部材１５０には上方に突出する押圧部１５７を設け、該押圧部１５７は径方向外側に向かって上方に傾斜する傾斜面１５７ａを有するように構成した。これによって、新たな冶具等を導入することなく、押圧部１５７による係合壁１２３の押圧により容易にレフィル容器１２０と本体容器１１０との係合を解除することができる。
【００５２】
図９は、本発明の第３実施形態に係る二重容器３００を構成するレフィル容器２２０、及び蓋体２３０の正面断面図である。なお、本実施形態に係る二重容器３００は、レフィル容器２２０及び蓋体２３０の他に、本体容器２１０及び本体蓋２４０を有するが、これらについては図１１等を用いて後ほど詳述する。
【００５３】
レフィル容器２２０は、筒状の周壁２２１と、周壁２２１の下端を閉塞する底壁２２２を有し、収容空間Ｓ３内に内容物を収容する。周壁２２１の外周面上部における雄ねじ部２２７の直下には、蓋体２３０をアンダーカット係合によりレフィル容器２２０に固定するための係合突起２２６が径方向外側に向けて突出して設けられている。周壁２２１の上端は、上部開口２２１ａを構成し、上方から蓋体２３０で覆われることにより閉塞される。周壁２２１の下端には、底壁２２２を越えて更に下方へと延びる底部周壁２２４が配設されており、底部周壁２２４の内周面には、周方向に一定間隔でリブ２２４ａが設けられている。また、底部周壁２２４の径方向内側において底壁２２２から下方に向かって係合壁２２３が垂下している。そして、係合壁２２３の下端部における外周面には、嵌合爪２２３ａが径方向外側に向けて突出している。本実施形態において、係合壁２２３は、周方向４箇所に等間隔で間欠的に配設されている。従って、各係合壁２２３は径方向に独立に弾性変形可能である。
【００５４】
レフィル容器２２０の上部開口２２１ａには、図９に示すように、蓋体２３０がアンダーカット係合により取り付けられている。蓋体２３０は、上部開口２２１ａを覆う天壁２３５と天壁２３５の外周端から下方に垂下する側壁２３１とを有する。天壁２３５の下面からはシール壁２３６が垂下し、レフィル容器２２０の周壁２２１の内周面に嵌合している。側壁２３１の下端部２３２には、径方向外側且つ下方に向かって延びるフランジ部２３３が設けられている。フランジ部２３３は、その大部分が側壁２３１から径方向外側方向に延びる外フランジ部２３３ａとして構成されるが、一部は側壁２３１から径方向内側方向に延びる内フランジ部２３３ｂを構成している。本実施形態では、図９に示すように、内フランジ部２３３ｂが前述の係合突起２２６にアンダーカット係合することにより蓋体２３０をレフィル容器２２０に係合固定することができる。
【００５５】
レフィル容器２２０は、図９に示すように、収容空間Ｓ３内に内容物を収容した状態で上部開口２２１ａを蓋体２３０で閉塞され、出荷及び販売される。そして、蓋体２３０は、レフィル容器２２０の上部開口２２１ａを覆った状態でアンダーカット係合により固定されている。従って、図９のレフィル容器２２０に対して何ら包装を施すことなく流通過程に置いても、アンダーカット係合を容易に解除することはできないため、意図的に又は偶発的に蓋体２３０が開けられてしまう可能性を低減することができる。
【００５６】
図１０は、図９のレフィル容器２２０を本体容器２１０に収容した状態を示す正面断面図である。本体容器２１０は、レフィル容器２２０の周壁２２１を径方向外側から覆う外周壁２１１と、外周壁２１１の下端に連なり径方向内側方向へ延びる本体底壁２１４と、本体底壁２１４の内周端から上方へと延びる底部筒壁２１３とを有する。そして、底部筒壁２１３の内周面から径方向内側に向けて突出リング２１３ａが設けられている。一方、外周壁２１１の上端部における外周寄りには、図１０の状態で蓋体２３０のフランジ部２３３を上方へ押圧可能な蓋体押圧部２１２が設けられている。蓋体押圧部２１２は、径方向外側に向かって上方に傾斜する傾斜面２１２ａを有している。
【００５７】
本実施形態において、蓋体２３０の側壁２３１の下端部２３２は、フランジ部２３３と比較して薄肉に形成されている。これによって、フランジ部２３３は、外力が加わると下端部２３２が弾性変形することによって傾動するように構成されている。従って、係合突起２２６の下面が外周壁２１１の上端部に当接するまで図１０の白抜き矢印に沿ってレフィル容器２２０を本体容器２１０内に収容した状態において、フランジ部２３３は、蓋体押圧部２１２によって上方に押圧され、傾斜面２１２ａに倣って径方向外側に向かって上方に傾斜するように方向付けされる。このようなフランジ部２３３の傾動により、内フランジ部２３３ｂは下端部２３２周りに回動して径方向外側へと移動する。これによって、内フランジ部２３３ｂと係合突起２２６との係合が解除されるため、利用者は、蓋体２３０を容易に図１０の上方へと持ち上げて取り外すことができる。
【００５８】
レフィル容器２２０を本体容器２１０に収容した図１０の状態において、底部周壁２２４の下端部が外周壁２１１と底部筒壁２１３との間の空間に挿入される。そして、底部周壁２２４に設けられたリブ２２４ａが底部筒壁２１３の回り止めリブ２１３ｂの間に入り込むことにより、レフィル容器２２０は本体容器２１０に対して周方向に回転不能状態で固定される。また、レフィル容器２２０の底壁２２２から垂下する係合壁２２３の嵌合爪２２３ａが突出リング２１３ａに対してアンダーカット係合することでレフィル容器２２０は上方に引き抜き不能となる。
【００５９】
図１１は、本実施形態に係る二重容器３００の使用時の状態を示す正面半断面図である。利用者は、図１０においてレフィル容器２２０との係合が外れた蓋体２３０を取り除いた後、図１１に示す本体蓋２４０を使用する。本体蓋２４０は、天壁２４３と、天壁２４３の外周端から垂下する側壁２４１とを有する。本体蓋２４０の取り付けは、側壁２４１の内周面に設けられている雌ねじ部２４１ａをレフィル容器２２０の周壁２２１上部の外周面に配設されている雄ねじ部２２７にねじ係合させることにより行う。なお、本実施形態では、雄ねじ部２２７の外径が係合突起２２６の外径より小さくなるようにして、蓋体２３０の取り外し時に内フランジ部２３３ｂが雄ねじ部２２７に強く当たらないように構成している。
【００６０】
図１２は、本実施形態に係る二重容器３００からレフィル容器２２０を取り外す工程を示す正面断面図である。利用者は、レフィル容器２２０の収容空間Ｓ３内の内容物を使い切ると、空になったレフィル容器２２０を本体容器２１０から取り外す必要がある。利用者は、図１２に白抜き矢印で示すように、蓋体２３０付きの未使用のレフィル容器２２０に対して、上方から使用済みのレフィル容器２２０を収容した本体容器２１０を押し付ける。図１２に示すように、蓋体２３０の天壁２３５には、上方に向けて突出する押圧部２３７が設けられている。押圧部２３７は、径方向外側に向かって上方に傾斜する傾斜面２３７ａと、上下方向に延びる支持部２３７ｂとが上端において連結された構成を有することによって半径方向の押圧力に対して弾性変形しづらく構成されている。そして、押圧部２３７の傾斜面２３７ａにより本体容器２１０内に収容されたレフィル容器２２０の係合壁２２３を下方から押圧することにより、係合壁２２３は、上方及び径方向内側への押圧力をうけて図１２に示すように径方向内側へと弾性変形する。これによって、嵌合爪２２３ａと突出リング２１３ａとの係合が解除されるため、太線矢印で示すように、上方に向けてレフィル容器２２０を本体容器２１０から容易に取り出すことができる。
【００６１】
利用者は、内容物を使用済みのレフィル容器２２０を本体容器２１０から取り出した後、図１０に示すように、これまで使用してきた本体容器２１０内に内容物が充填された新たなレフィル容器２２０を収容する。これによって、同一の本体容器２１０及び本体蓋２４０を繰り返し使用しつつ、内容物を補充することができる。
【００６２】
なお、本実施形態では、図１２に示すように、押圧部２３７に傾斜面２３７ａが設けられている他、係合壁２２３についても下端部に嵌合爪２２３ａが設けられることにより傾斜面２２３ｂが形成されている。そして径方向外側に向かって上方に傾斜する傾斜面２３７ａ，２２３ｂ同士が当接することにより、係合壁２２３は上方及び径方向内側への押圧力をうけて径方向内側へと弾性変形する。しかし、この態様には限定されず、例えば、傾斜面を有さない押圧部２３７が係合壁２２３の傾斜面２２３ｂに当接することによって係合壁２２３を径方向内側へと弾性変形させて嵌合爪２２３ａと突出リング２１３ａとの係合を解除させるように構成してもよい。また、傾斜面２３７ａが、傾斜面を有しない係合壁２２３を上方及び径方向内側へと押圧して径方向内側に弾性変形させるようにしてもよい。
【００６３】
また、本実施形態では、本体蓋２４０とレフィル容器２２０とがねじ係合により固定されるように構成したが、この態様には限定されない。本体蓋２４０についても打栓力が小さいアンダーカット係合によって固定されるように構成してもよい。その場合、本体蓋２４０と係合する突起は、蓋体２３０固定用の係合突起２２６よりも突出量が小さくなるようにして蓋体２３０の取り外しの妨げにならないように構成することが好ましい。
【００６４】
また、本実施形態では、蓋体押圧部２１２が傾斜面２１２ａを有するように構成したが、この態様には限定されない。蓋体押圧部２１２は、フランジ部２３３の径方向外側寄りの部分を上方に押圧できればよく、上方に突出する突起等であってもよい。
【００６５】
また、本実施形態では、図９等に示すように、フランジ部２３３は、径方向外側に向かって下方に傾斜するように構成したが、この態様には限定されない。フランジ部２３３は、例えば径方向外側に向かって水平に延びるように構成されていてもよい。フランジ部２３３が蓋体押圧部２１２から押圧されることにより、下端部２３２周りに一定の傾動角を確保でき、内フランジ部２３３ｂと係合突起２２６とを係合状態から非係合状態へと遷移させることができればよい。
【００６６】
以上述べたように、本実施形態においては、蓋体２３０をアンダーカット係合によりレフィル容器２２０に固定すると共に、蓋体２３０付きのレフィル容器２２０を本体容器２１０に収容すると、蓋体押圧部２１２が蓋体２３０のフランジ部２３３を傾動させることにより蓋体２３０とレフィル容器２２０との係合が容易に解除されるように構成した。これによって、レフィル容器２２０を包装することなく流通段階に置いても、意図的に又は偶発的に蓋体２３０が開けられてしまう可能性を低減させることができる。一方、レフィル容器２２０を本体容器２１０に収容するという使用段階における通常の作業により、蓋体２３０をレフィル容器２２０から容易に取り外すことができる。
【００６７】
また、本実施形態では、レフィル容器２２０の底壁２２２から垂下する係合壁２２３に設けられた嵌合爪２２３ａが本体容器２１０の底部に配設した突出リング２１３ａにアンダーカット係合することにより、使用時にレフィル容器２２０が本体容器２１０から容易に外れないようにした。その一方で、レフィル容器２２０内の内容物を使用した後は、図１２に示すように、使用済みのレフィル容器２２０を収容した本体容器２１０を、内容物が充填された新たなレフィル容器２２０の蓋体２３０に対して上方から押し付けることにより、蓋体２３０の上面に設けた押圧部２３７が係合壁２２３を径方向内側に弾性変形させるようにした。これによって、嵌合爪２２３ａと突出リング２１３ａとの係合が容易に外れるため、新たな器具等を用いることなく使用済みのレフィル容器２２０を本体容器２１０から容易に取り外すことができる。
【００６８】
また、本実施形態では、係合突起２２６の上方に本体蓋２４０と係合可能な雄ねじ部２２７（係合部）を設け、雄ねじ部２２７の外径が係合突起２２６の外径よりも小さくなるように構成した。これによって、レフィル容器２２０に対して蓋体２３０に加えて本体蓋２４０を着脱可能にすると共に、蓋体２３０を取り外す際に雄ねじ部２２７が妨げになりにくくすることができる。
【００６９】
また、本実施形態では、蓋体２３０の上面に設けた押圧部２３７は径方向外側に向かって上方に傾斜する傾斜面２３７ａを有するように構成した。これによって、押圧部２３７からの押圧力により係合壁２２３を効率よく径方向内側へと変形させて嵌合爪２２３ａと突出リング２１３ａとの係合を解除することができる。
【００７０】
また、本実施形態では、蓋体押圧部２１２は、径方向外側に向かって上方に傾斜する傾斜面２１２ａを有するように構成した。これによって、フランジ部２３３を傾斜面２１２ａに倣うように傾動させることができるので、フランジ部２３３をより所望の角度で傾動させて、内フランジ部２３３ｂと係合突起２２６との係合を確実に解除することができる。
【００７１】
図１３は、本発明の第４実施形態に係る二重容器４００を構成するレフィル容器３２０、及び蓋体３３０の正面断面図である。なお、本実施形態に係る二重容器４００は、レフィル容器３２０及び蓋体３３０の他に、本体容器３１０及び本体蓋３４０を有するが、これらについては図１５等を用いて後ほど詳述する。
【００７２】
レフィル容器３２０は、筒状の周壁３２１と、周壁３２１の下端を閉塞する底壁３２２を有し、収容空間Ｓ４内に内容物を収容する。周壁３２１の外周面上部における雄ねじ部３２７の直下には、蓋体３３０をアンダーカット係合によりレフィル容器３２０に固定するための係合突起３２６が径方向外側に向けて突出して設けられている。周壁３２１の上端は、上部開口３２１ａを構成し、上方から蓋体３３０で覆われることにより閉塞される。周壁３２１の下端には、底壁３２２を越えて更に下方へと延びる底部周壁３２４が配設されており、底部周壁３２４の内周面には、周方向に一定間隔でリブ３２４ａが設けられている。また、底部周壁３２４の径方向内側において底壁３２２から下方に向かって係合壁３２３が垂下している。そして、係合壁３２３の下端部における外周面には、嵌合爪３２３ａが径方向外側に向けて突出している。本実施形態において、係合壁３２３は、周方向４箇所に等間隔で間欠的に配設されている。従って、各係合壁３２３は径方向に独立に弾性変形可能である。
【００７３】
レフィル容器３２０の上部開口３２１ａには、図１３に示すように、蓋体３３０がアンダーカット係合により取り付けられている。蓋体３３０は、上部開口３２１ａを覆う天壁３３５と天壁３３５の外周端から下方に垂下する側壁３３１とを有する。天壁３３５の下面からはシール壁３３６が垂下し、レフィル容器３２０の周壁３２１の内周面に嵌合している。側壁３３１の内周面には内側突部３３２が配設され、上述の係合突起３２６にアンダーカット係合することにより蓋体３３０をレフィル容器３２０に係合固定することができる。
【００７４】
側壁３３１の下端部３３３は、図１３に示すように三角波状に形成されており、後述するように下端部３３３と本体容器３１０の蓋体押圧部３１２とは、上下方向の凹凸が周方向に同期して変化する相補的形状の関係にある。すなわち、下端部３３３が下に凸形状を有する周方向位置では蓋体押圧部３１２は下に凹形状を有し、下端部３３３が上に凹形状を有する周方向位置では蓋体押圧部３１２は上に凸形状を有している。
【００７５】
レフィル容器３２０は、図１３に示すように、収容空間Ｓ４内に内容物を収容した状態で上部開口３２１ａを蓋体３３０で閉塞され、出荷及び販売される。そして、蓋体３３０は、レフィル容器３２０の上部開口３２１ａを覆った状態でアンダーカット係合により固定されている。従って、図１３のレフィル容器３２０に対して何ら包装を施すことなく流通過程に置いても、アンダーカット係合を容易に解除することはできないため、意図的に又は偶発的に蓋体３３０が開けられてしまう可能性を低減することができる。
【００７６】
図１４は、図１３のレフィル容器３２０を本体容器３１０に収容した状態を示す正面断面図である。本体容器３１０は、レフィル容器３２０の周壁３２１を径方向外側から覆う外周壁３１１と、外周壁３１１の下端に連なり径方向内側方向へ延びる本体底壁３１４と、本体底壁３１４の内周端から上方へと延びる底部筒壁３１３とを有する。そして、底部筒壁３１３の内周面から径方向内側に向けて突出リング３１３ａが設けられている。
【００７７】
レフィル容器３２０を本体容器３１０に収容した図１４の状態において、底部周壁３２４の下端部が外周壁３１１と底部筒壁３１３との間の空間に挿入される。そして、底部周壁３２４に設けられたリブ３２４ａが底部筒壁３１３の回り止めリブ３１３ｂの間に入り込むことにより、レフィル容器３２０は本体容器３１０に対して周方向に回転不能状態で固定される。また、レフィル容器３２０の底壁３２２から垂下する係合壁３２３の嵌合爪３２３ａが突出リング３１３ａに対してアンダーカット係合することでレフィル容器３２０は上方に引き抜き不能となる。
【００７８】
外周壁３１１の上端部には、蓋体３３０の側壁３３１の下端部３３３を上方へ押圧可能な蓋体押圧部３１２が設けられている。蓋体押圧部３１２は、三角波状に形成されており、先述のように、蓋体３３０の側壁３３１の下端部３３３とは、上下方向の凹凸が周方向に同期して変化する相補的形状の関係にある。そして、蓋体３３０が装着されたレフィル容器３２０を本体容器３１０に収容する際に、相補的形状の位相が合致するようにリブ３２４ａと回り止めリブ３１３ｂを嵌合させることにより、側壁３３１の下端部３３３と蓋体押圧部３１２とは、三角波の上下方向の長さよりも短い距離で近接した状態となる。
【００７９】
利用者は、側壁３３１の下端部３３３と蓋体押圧部３１２の三角波同士が噛み合い、三角波の上下方向の長さよりも両者が近接した図１４の状態において、蓋体３３０を例えば側壁３３１を把持しながら周方向に回転させる。このとき、レフィル容器３２０と本体容器３１０とは、リブ３２４ａが回り止めリブ３１３ｂに噛み合うことにより相対回転しないため、蓋体３３０のみが本体容器３１０及びレフィル容器３２０に対して周方向に回転する。すると、蓋体押圧部３１２の三角波と側壁３３１の下端部３３３の三角波との周方向の位相がずれるため、下端部３３３側の三角波は、蓋体押圧部３１２側の三角波の斜辺に沿って上方に持ち上げられ、レフィル容器３２０と蓋体３３０の上下方向の距離が離間する。このとき、内側突部３３２が係合突起３２６を乗り越えて上方に移動するため、両者のアンダーカット係合が解除される。これにより、利用者は、蓋体３３０を容易に上方へと持ち上げて取り外すことができる。
【００８０】
なお、本実施形態では、側壁３３１の下端部３３３と蓋体押圧部３１２とが、三角波の上下方向の長さよりも短い距離で近接するように構成している。両者の距離が三角波の上下方向の長さよりも長い場合、蓋体３３０を周方向に回転させても、下端部３３３と蓋体押圧部３１２とが接触しないため、蓋体３３０を上方に押圧する力が作用しないからである。
【００８１】
図１５は、本実施形態に係る二重容器４００の使用時の状態を示す正面半断面図である。利用者は、図１４においてレフィル容器３２０との係合が外れた蓋体３３０を取り除いた後、図１５に示す本体蓋３４０を使用する。本体蓋３４０は、天壁３４３と、天壁３４３の外周端から垂下する側壁３４１とを有する。本体蓋３４０の取り付けは、側壁３４１の内周面に設けられている雌ねじ部３４１ａをレフィル容器３２０の周壁３２１上部の外周面に配設されている雄ねじ部３２７にねじ係合させることにより行う。なお、本実施形態では、雄ねじ部３２７の外径が係合突起３２６の外径より小さくなるようにして、蓋体３３０の取り外し時に内側突部３３２が雄ねじ部３２７に強く当たらないように構成している。
【００８２】
図１６は、本実施形態に係る二重容器４００からレフィル容器３２０を取り外す工程を示す正面断面図である。利用者は、レフィル容器３２０の収容空間Ｓ４内の内容物を使い切ると、空になったレフィル容器３２０を本体容器３１０から取り外す必要がある。利用者は、図１６に白抜き矢印で示すように、蓋体３３０付きの未使用のレフィル容器３２０に対して、上方から使用済みのレフィル容器３２０を収容した本体容器３１０を押し付ける。図１６に示すように、蓋体３３０の天壁３３５には、上方に向けて突出する押圧部３３７が設けられている。押圧部３３７は、径方向外側に向かって上方に傾斜する傾斜面３３７ａと、上下方向に延びる支持部３３７ｂとが上端において連結された構成を有することによって半径方向の押圧力に対して弾性変形しづらく構成されている。そして、押圧部３３７の傾斜面３３７ａにより本体容器３１０内に収容されたレフィル容器３２０の係合壁３２３を下方から押圧することにより、係合壁３２３は、上方及び径方向内側への押圧力をうけて図１６に示すように径方向内側へと弾性変形する。これによって、嵌合爪３２３ａと突出リング３１３ａとの係合が解除されるため、太線矢印で示すように、上方に向けてレフィル容器３２０を本体容器３１０から容易に取り出すことができる。
【００８３】
利用者は、内容物を使用済みのレフィル容器３２０を本体容器３１０から取り外した後、図１４に示すように、これまで使用してきた本体容器３１０内に内容物が充填された新たなレフィル容器３２０を収容する。これによって、同一の本体容器３１０及び本体蓋３４０を繰り返し使用しつつ、内容物を補充することができる。
【００８４】
なお、本実施形態では、図１６に示すように、押圧部３３７に傾斜面３３７ａが設けられている他、係合壁３２３についても下端部に嵌合爪３２３ａが設けられることにより傾斜面３２３ｂが形成されている。そして径方向外側に向かって上方に傾斜する傾斜面３３７ａ，３２３ｂ同士が当接することにより、係合壁３２３は上方及び径方向内側への押圧力をうけて径方向内側へと弾性変形する。しかし、この態様には限定されず、例えば、傾斜面を有さない押圧部３３７が係合壁３２３の傾斜面３２３ｂに当接することによって係合壁３２３を径方向内側へと弾性変形させて嵌合爪３２３ａと突出リング３１３ａとの係合を解除させるように構成してもよい。また、傾斜面３３７ａが、傾斜面を有しない係合壁３２３を上方及び径方向内側へと押圧して径方向内側に弾性変形させるようにしてもよい。
【００８５】
また、本実施形態では、本体蓋３４０とレフィル容器３２０とがねじ係合により固定されるように構成したが、この態様には限定されない。本体蓋３４０についても打栓力が小さいアンダーカット係合によって固定されるように構成してもよい。その場合、本体蓋３４０と係合する突起は、蓋体３３０固定用の係合突起３２６よりも突出量が小さくなるようにして蓋体３３０の取り外しの妨げにならないように構成することが好ましい。
【００８６】
また、本実施形態では、蓋体押圧部３１２、及び蓋体３３０の側壁３３１の下端部３３３が共に三角波形状を有するように構成したが、この態様には限定されない。例えば、両者が正弦波形状を有するように構成してもよい。また、蓋体押圧部３１２と側壁３３１の下端部３３３が厳密に相補的形状を有している必要はない。両者の形状が異なっていても、概ね同じ上下方向長さと位相を有していれば、蓋体３３０の回転操作によってアンダーケット係合を解除させることができる。従って、例えば三角波と正弦波の組み合わせ等であってもよい。
【００８７】
また、本実施形態では、蓋体３３０側と本体容器３１０側の三角波形状が全周に亘って設けられるように構成したが、この態様には限定されない。三角波形状が周方向の一部にのみ設けられるように構成してもよい。但し、この三角波形状により蓋体３３０をレフィル容器３２０に対して上方に持ち上げる力を生成しているため、三角波形状を周方向の一部に設ける場合は、バランスの観点から少なくとも対向する２か所に設けることが好ましい。これは、相補的形状が三角波以外の形状であっても同様である。
【００８８】
以上述べたように、本実施形態においては、蓋体３３０をアンダーカット係合によりレフィル容器３２０に固定すると共に、蓋体３３０付きのレフィル容器３２０を本体容器３１０に収容すると、蓋体３３０側と本体容器３１０側の相補的形状が近接して対向するように構成した。これによって、レフィル容器３２０を包装することなく流通段階に置いても、意図的に又は偶発的に蓋体３３０が開けられてしまう可能性を低減させることができる。一方、レフィル容器３２０を本体容器３１０に収容するという使用段階における通常の作業の際に、蓋体３３０を周方向に回転させる操作のみで蓋体３３０をレフィル容器３２０から容易に取り外すことができる。
【００８９】
また、本実施形態では、レフィル容器３２０の底壁３２２から垂下する係合壁３２３に設けられた嵌合爪３２３ａが本体容器３１０の底部に配設した突出リング３１３ａにアンダーカット係合することにより、使用時にレフィル容器３２０が本体容器３１０から容易に外れないようにした。その一方で、レフィル容器３２０内の内容物を使用した後は、図１６に示すように、使用済みのレフィル容器３２０を収容した本体容器３１０を、内容物が充填された新たなレフィル容器３２０の蓋体３３０に対して上方から押し付けることにより、蓋体３３０の上面に設けた押圧部３３７が係合壁３２３を径方向内側に弾性変形させるようにした。これによって、嵌合爪３２３ａと突出リング３１３ａとの係合が容易に外れるため、新たな器具等を用いることなく使用済みのレフィル容器３２０を本体容器３１０から容易に取り外すことができる。
【００９０】
また、本実施形態では、係合突起３２６の上方に本体蓋３４０と係合可能な雄ねじ部３２７（係合部）を設け、雄ねじ部３２７の外径が係合突起３２６の外径よりも小さくなるように構成した。これによって、レフィル容器３２０に対して蓋体３３０に加えて本体蓋３４０を着脱可能にすると共に、蓋体３３０を取り外す際に雄ねじ部３２７が妨げになりにくくすることができる。
【００９１】
また、本実施形態では、蓋体３３０の上面に設けた押圧部３３７は径方向外側に向かって上方に傾斜する傾斜面３３７ａを有するように構成した。これによって、押圧部３３７からの押圧力により係合壁３２３を効率よく径方向内側へと変形させて嵌合爪３２３ａと突出リング３１３ａとの係合を解除することができる。
【００９２】
また、本実施形態では、蓋体３３０の側壁３３１の下端部３３３、及び本体容器３１０の蓋体押圧部３１２が三角波又は正弦波形状を有するように構成した。これによって、図１４の状態から蓋体３３０を周方向に回転させることによって、蓋体３３０とレフィル容器３２０とのアンダーカット係合を解除する力を効率よく発生させることができる。
【００９３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００９４】
１０，１１０    本体容器
１１，１１１    外周壁
１１ａ，１１１ａ    上端部
１２，１１２    底部
１２ａ    環状部
１２ｂ    底部筒壁
１２ｃ    底部内壁
１２ｄ，１１２ｄ    係合孔（係合部）
２０，１２０    レフィル容器
２１，１２１      周壁
２１ａ，１２１ａ    上部開口
２２    ，１２２底壁
２３，１２３    係合壁
２３ａ，１２３ａ    係合突部
２３ｂ，１２３ｂ    傾斜面
２６，１２６    突部
２７，１２７    雄ねじ部
３０，１３０    蓋体
３１，１３１    側壁
３５，１３５    天壁
３７      押圧部
３７ａ    傾斜面
３７ｂ    支持部
４０，１４０    ポンプ
４１，１４１    パイプ
４２，１４２    ベースキャップ
４２ａ，１４２ａ    雌ねじ部
４２ｂ、１４２ｂ    嵌合部
４３，１４３    ポンプ本体
４３ａ，１４３ａ    フランジ
４４，１４４    ノズルヘッド
４４ａ，１４４ａ    吐出孔
５０      蓋体
５１ａ    雌ねじ部
５５      天壁
１００，２００，３００，４００    二重容器
１１２ａ    嵌合孔
１１２ｃ    底壁
１５０    押圧部材
１５５    中央壁
１５７    押圧部
１５７ａ  傾斜面
１５７ｂ  支持部
１５８      環状壁
１５９      嵌合壁
１５９ａ    嵌合突部
２１０      本体容器
２１１      外周壁
２１２      蓋体押圧部
２１２ａ    傾斜面
２１３      底部筒壁
２１３ａ    突出リング
２１３ｂ    回り止めリブ
２１４      本体底壁
２２０      レフィル容器
２２１      周壁
２２１ａ    上部開口
２２２      底壁
２２３      係合壁
２２３ａ    嵌合爪
２２３ｂ    傾斜面
２２４      底部周壁
２２４ａ    リブ
２２６      係合突起
２２７      雄ねじ部
２３０      蓋体
２３１      側壁
２３２      下端部
２３３      フランジ部
２３３ａ    外フランジ部
２３３ｂ    内フランジ部
２３５      天壁
２３７      押圧部
２３７ａ    傾斜面
２３７ｂ    支持部
２４０      本体蓋
２４１      側壁
２４１ａ    雌ねじ部
２４３      天壁
３１０      本体容器
３１１      外周壁
３１２      蓋体押圧部
３１２ａ    傾斜面
３１３      底部筒壁
３１３ａ    突出リング
３１３ｂ    回り止めリブ
３１４      本体底壁
３２０      レフィル容器
３２１      周壁
３２１ａ    上部開口
３２２      底壁
３２３      係合壁
３２３ａ    嵌合爪
３２３ｂ    傾斜面
３２４      底部周壁
３２４ａ    リブ
３２６      係合突起
３２７      雄ねじ部
３３０      蓋体
３３１      側壁
３３２      内側突部
３３３      下端部
３３５      天壁
３３７      押圧部
３３７ａ    傾斜面
３３７ｂ    支持部
３４０      本体蓋
３４１      側壁
３４１ａ    雌ねじ部
３４３      天壁
Ｏ１，Ｏ２，Ｏ３，Ｏ４    中心軸線
Ｓ１，Ｓ２，Ｓ３，Ｓ４    収容空間
【図１】
2018172168.tif 000003
【図２】
2018172168.tif 000004
【図３】
2018172168.tif 000005
【図４】
2018172168.tif 000006
【図５】
2018172168.tif 000007
【図６】
2018172168.tif 000008
【図７】
2018172168.tif 000009
【図８】
2018172168.tif 000010
【図９】
2018172168.tif 000011
【図１０】
2018172168.tif 000012
【図１１】
2018172168.tif 000013
【図１２】
2018172168.tif 000014
【図１３】
2018172168.tif 000015
【図１４】
2018172168.tif 000016
【図１５】
2018172168.tif 000017
【図１６】
2018172168.tif 000018